(57)【特許請求の範囲】
【請求項１】
キャスターにより移動自在なカート本体と、該カート本体に積み降ろし自在なベッドボックスとを備え、該ベッドボックスには取っ手が設けられているとともに、前記ベッドボックスは、床部と、該床部に連結された周壁部とを備え、該周壁部の少なくとも前壁部は、展開してベッドボックスの前面を開放する開放位置に変更自在に設けられ、前記カート本体の前方には、ペットが乗り降りするスロープが前後方向に出退自在に設けられ、前記カート本体の底部には、前記スロープが後退して前記カート本体の下方に収納される収納位置において、前記スロープが載置される傾斜部を有するガイド部が設けられ、前記傾斜部は前記カート本体の後方に向けて次第に低く設定されていることを特徴とするペット用カート。
【請求項２】
前記請求項１に記載のペット用カートにおいて、前記周壁部は、前後左右壁部を備え、前後左右壁部は、前記床部に連結された基壁部と、各基壁部に対して折り畳み自在なメッシュ部とからなることを特徴とするペット用カート。
【請求項３】
前記請求項２に記載のペット用カートにおいて、前記ベッドボックスの前後左右壁部がそれぞれ展開自在に設けられていることを特徴とするペット用カート。
【請求項４】
前記請求項１〜３の何れか一つに記載のペット用カートにおいて、前記ベッドボックスに設けられた取っ手は、可撓性を有し、前記ベッドボックスには前記取っ手を収容するポケットが設けられていることを特徴とするペット用カート。
【請求項５】
前記請求項１〜４の何れか一つに記載のペット用カートにおいて、前記カート本体および前記ベッドボックスは、それぞれ折り畳み自在に構成されたことを特徴とするペット用カート。
【発明の詳細な説明】
【技術分野】
【０００１】
本発明は、愛犬等を移動させるのに最適なペット用カートに関するものである。
【背景技術】
【０００２】
近年、ペットとして例えば愛犬を飼育することが多くなっている。これらの愛犬が、老衰や事故、病気等によって寝たきりや寝たきりに近い状態となっても、愛犬を外に連れ出して日光浴や気分転換等させることが健康面で大切である。
【０００３】
また、老犬の場合、動物病院への通院が増え、飼い主および愛犬にとって移動も一苦労である。特に愛犬が大型犬である場合には、運搬等の問題が顕著になる。
【０００４】
そこで、愛犬を収容できる収容ボックスをカート本体に設置するようにしたカートが公知である（例えば、特許文献１参照）。
【特許文献１】特開２００４−３３１０３０号公報
【発明の開示】
【発明が解決しようとする課題】
【０００５】
しかし、前記特許文献１に記載のカートの収容ボックスは、その周壁を展開状態にすることができないため、飼い主が愛犬を抱える等して収容ボックス内に収容しなければならない。小型犬の場合には、容易に抱えることができるが、中、大型犬である場合には、抱えるのが困難となるとともに、危険が伴う。特に老犬等にとっては、安全で且つ使い易いカートが望ましい。
【０００６】
本発明は、老犬や大型犬であっても、容易且つ安全に乗り降りさせることができ、使い易いペット用カートを提供することを課題とする。
【課題を解決するための手段】
【０００７】
本発明は、前記課題を解決するためになされたもので、キャスターにより移動自在なカート本体と、該カート本体に積み降ろし自在なベッドボックスとを備え、該ベッドボックスには取っ手が設けられているとともに、前記ベッドボックスは、床部と、該床部に連結された周壁部とを備え、該周壁部の少なくとも前壁部は、展開してベッドボックスの前面を開放する開放位置に変更自在に設けられ、前記カート本体の前方には、ペットが乗り降りするスロープが前後方向に出退自在に設けられ、前記カート本体の底部には、前記スロープが後退して前記カート本体の下方に収納される収納位置において、前記スロープが載置される傾斜部を有するガイド部が設けられ、前記傾斜部は前記カート本体の後方に向けて次第に低く設定されていることにある。
【０００８】
前記周壁部は、前後左右壁部を備え、前後左右壁部は、前記床部に連結された基壁部と、各基壁部に対して折り畳み自在なメッシュ部とからなる。
【００１０】
前記ベッドボックスの前後左右壁部がそれぞれ展開自在に設けられている。
【００１１】
前記ベッドボックスに設けられた取っ手は、可撓性を有し、前記ベッドボックスには前記取っ手を収容するポケットが設けられている。
【００１２】
前記カート本体および前記ベッドボックスは、それぞれ折り畳み自在に構成されているのが好ましい。
【発明の効果】
【００１３】
本発明は、特に老犬や中、大型犬であっても、安全且つ容易に移動させることができる。
【発明を実施するための最良の形態】
【００１４】
以下、本発明の一実施の形態について図面を参照して説明する。
【００１５】
本発明のペット用カート１は、図１〜図３に示すように、カート本体１０と、このカート本体１０に積み降ろし自在なベッドボックス３０とを備えている。
【００１６】
カート本体１０は、軽量化を図るべくパイプ材から主構成され、底部１１と、両側部１２，１２と、ハンドル部１３とを備えている。底部１１は平面視矩形状に形成されたフレーム１５に、複数の支持パイプ１６ａ、１６ｂが左右方向に架設されたものである。そして、底部１１の前後左右には、キャスター１７がそれぞれ設けられている。例えば後部のキャスター１７は図示省略のストッパー機構が設けられているとともに、前部のキャスター１７は、カート本体１０の走行方向が変更できるように、縦軸を中心にして回転する。
【００１７】
両側部１２は、フレーム１９と、架設部２０とからなり、底部１１から垂直に立設された使用姿勢と、底部１１に沿うように折り畳まれる収納姿勢とに回動できるように、フレーム１９の下部が底部１１に連結されている。なお、フレーム１９は、図示省略の固定手段により、使用姿勢を解除自在に維持できるようになっている。
【００１８】
ハンドル部１３は、フレーム２２と、このフレーム２２に左右方向に架設された架設部２３とからなり、フレーム２２の基部は、底部１１の後部に、前方側に折り畳み自在に連結されている。ハンドル部１３は、固定部材としての一対の固定パイプ２４により使用姿勢が解除自在に維持できるようになっている。例えば、固定パイプ２４の一端は、フレーム２２の側部に揺動自在に連結され、他端は底部１１の側部に着脱自在に連結されている。従って、固定パイプ２４と底部１１との連結を解除することにより、ハンドル部１３を底部１１に沿うように折り畳むことができる。
【００１９】
ベッドボックス３０は、図３に示す如く、床部３１、前後左右壁部３２、３３、３３、３４とを備えている。前後左右壁部３２、３３、３３、３４は、それぞれが展開できるように床部３１に連結された基壁部３２Ａ、３３Ａ、３３Ａ、３４Ａと、各基壁部３２Ａ、３３Ａ、３３Ａ、３４Ａに対して折り畳み自在なメッシュ部３２Ｂ、３３Ｂ、３３Ｂ、３４Ｂとからなり、前後左右面を開放する開放位置と、前後左右壁部が連結する収容位置とに変更自在に設けられている。
【００２０】
なお、床部３１および基壁部３２Ａ、３３Ａ、３３Ａ、３４Ａは、クッション性が良好となるように、所定厚さの弾性シート体からなる。
【００２１】
また、前後左右壁部３２、３３、３３、３４の互いに隣接する縁（ベッドボックス３０の四隅）には、ファスナー３５、３５がそれぞれ設けられている。各壁部３２、３３、３３、３４のファスナー３５を閉めることにより、床部３１および前後左右壁部３２、３３、３３、３４を連結しボックス型に維持することができ、このボックス内に収容部が形成される。
【００２２】
左右壁部（長辺側の壁部）３３、３３の基壁部３３Ａ、３３Ａには、可撓性を有する帯状体の両端を左右壁部３３、３３に連結してなる複数の取っ手３６が設けられている。また、図４に示す如く、基壁部３３Ａ、３３Ａで且つ取っ手３６の下方には、上方が開口するポケット３７がそれぞれ設けられ、このポケット３７に取っ手３６が収納できるようになっている。
【００２３】
前記床部３１の上面には、さらにクッション性が良好となるように、ベッド３９が敷設されている。ベッド３９は紐や面ファスナー３８により、床部３１に着脱自在に固定されている。
【００２４】
カート本体１０の前方には、ペット（愛犬）が乗り降りするスロープ４０が出退自在に設けられている。すなわち、底部１１の前部には、下方に向けて固定された左右一対の脚部４１ａと、各脚部４１の下端を連結する連結部４１ｂとからなる出入口部４１が設けられている。この出入口部４１の連結部４１ｂから後方に向けて一対のガイド部４３が設けられている。各ガイド部４３の前端４３ａは、連結部４１ｂに接続され、且つ後端４３ｂは、前記支持パイプ１６ａに接続されている。各ガイド部４３は、後方に向けて次第に低くなる傾斜部４３ｃが設けられている。
【００２５】
スロープ４０は、矩形状のベニヤ板や合成樹脂製の板材からなり、その上面は滑り止めが施されている。例えば、スロープ４０がベニヤ板の場合には、滑り止め素材からなるシートで被覆されている。スロープ４０が合成樹脂製の板材の場合には、その上面に浅い凹凸部からなる滑り止め手段が一体的に設けられている。出入口部４１から入れられたスロープ４０は、後退して全体がカート本体１０の下方に収納される収納位置において、各ガイド部４３の傾斜部４３ｃに載置されている。このため、スロープ４０がカート本体１０から不用意に飛び出てしまうのを防止できる。
【００２６】
スロープ４０の裏面には、図６に示す如く、スロープ４０がカート本体１０に対して前後方向の位置決めをする位置決め部材４５が設けられている。この位置決め部材４５は帯状のシート部材からなり、スロープ４０の前部に前端が固定された前部材４６と、スロープ４０の後部に後端が固定された後部材４７とから構成されている。前部材４６および後部材４７には、互いに着脱自在に係合する面ファスナー４８ａ、４８ｂがそれぞれ設けられている。
【００２７】
スロープ４０と位置決め部材４５との間に出入口部４１の連結部４１ｂが介在されている。従って、スロープ４０は、位置決め部材４５の前端が連結部４１ｂに係合した際に、最も後退する収納位置となり、位置決め部材４５の後端が連結部４１ｂに係合した際に、最も突出する乗降位置となる。かかる乗降位置において、スロープ４０の前端は接地するようになっている。
【００２８】
次に、前記構成からなるペット用カート１を使用する場合について説明する。
【００２９】
先ず、ベッドボックス３０をカート本体１０から降ろし、建物の床面または地面等の載置面に載置する。そして、ベッドボックス３０の各ファスナー３５を開放して前後左右壁部３２、３３、３３、３４を展開させる。なお、このとき、前後左右壁部３２、３３、３３、３４は、各基部３２Ａ、３３Ａ、３３Ａ、３４Ａに対してメッシュ部３２Ｂ、３２Ｂ、３３Ｂ、３４Ｂが折り畳まれた状態（二つ折りの状態）にする（図７（ａ）参照）。
【００３０】
さらに、愛犬を展開されたベッドボックス３０の床部３１に移動させる。仮に、愛犬が老犬や病気等で寝たきりの大型犬の場合であっても、ベッドボックス３０は展開されて平面であるので、前後左右壁部３２、３３、３３、３４が邪魔になることはなく、容易且つ安全に移動せることができる。しかも、床部３１は弾力性を有しているとともに、十分に大きいので、愛犬は横になることができる。
【００３１】
次に、各ファスナー３５を係合して二つ折りの状態の前後左右壁部３２、３３、３３、３４閉じることにより、ベッドボックス３０をボックス型にする（図７（ｂ）参照）。そして、ポケット３７に収納されていた取っ手３６を取り出し、この取っ手３６を二人でしっかり把持して（図７（ｃ）参照）、愛犬をベッドボックス３０とともにカート本体１０へ乗せる。
【００３２】
なお、ベッドボックス３０は、前後左右壁部３２、３３、３３、３４を二つ折りの状態で使用したが、二つ折りすることなく前後左右壁部３２、３３、３３、３４は展開した状態で使用することも可能である。
【００３３】
カート本体１０は、キャスター１７のストッパーを機能させておくことにより移動しないため、カート本体１０の両側部１２等の障害物のない前側からベッドボックス３０を容易に乗せることができる。なお、愛犬が小型犬で比較的軽い場合には、ベッドボックス３０をカート本体１０の上方から乗せることも可能である。
【００３４】
さらに、各前後左右壁部３２、３３、３３、３４のメッシュ部３２Ｂ、３２Ｂ、３３Ｂ、３４Ｂを上向きにするとともに、ベッドボックス３０を、固定ベルト５により適宜カート本体１０に固定する。また、取っ手３６は邪魔にならないように、ポケット３７に収納する。飼い主等がハンドル部１３を持ってペット用カート１を押して走行させる際に、愛犬は、クッション性に優れたベッドボックス３０内にいるため、安全である。なお、図３に示すようにベッドボックス３０には、愛犬が不用意にベッドボックス３０から飛び出すのを防止する飛び出し防止リード４９を設けておくのが好ましい。
【００３５】
愛犬を降ろす場合には、取っ手３６を把持してベッドボックス３０を降ろし、ファスナー３５を開放して展開状態にする。なお、ファスナー３５は全てのものを開放する必要はなく、必要なもののみ開放してもよい。
【００３６】
愛犬が歩いてカート本体１０に乗降できる場合には、図８に示すように、ベッドボックス３０をカート本体１０に予め積み込んでおく。そして、スロープ４０を引き出し乗降姿勢にする。しかも、ベッドボックス３０の前壁部３２と左右壁部３３、３３を固定しているファスナー３５を開放して、前壁部３２は床部３１の下に折り畳んで収納しておく。
【００３７】
このことにより、ベッドボックス３０の前面を開放することができ、前壁部３２が開放されたベッドボックス３０内に、愛犬はスロープ４０を介して安全に乗り込むことができる。愛犬がベッドボックス３０内に乗り込んだ後に、開放されていたファスナー３５を閉じることにより、前壁でベッドボックス３０の開口を閉塞する。なお、愛犬がスロープ４０を利用して乗車する場合には、キャスター１７のストッパーを機能させておくのが好ましいが、キャスター１７のストッパー機能を解除し、飼い主等がハンドル部１３を持ってカート本体１０を固定させておくことも可能である。
【００３８】
愛犬が降りる場合には、スロープ４０を乗降姿勢に引き出し、キャスター１７等で固定されたカート本体１０からファスナー３５を開いてベッドボックス３０の前面を開放する。
【００３９】
また、カート本体１０を折り畳む際には、両側部１２，１２を互いに重ね合わせるようにして底部１１に沿わせ、さらに、ハンドル部１３はこれら両側部１２，１２を覆うように折り畳む（図２（ｂ）参照）。ハンドル部１３は図示省略の面ファスナー等の固定具で底部１１に固定するのが好ましい。折り畳まれたカート本体１０は、嵩張らないため自動車のトランク等に収納できる。従って、愛犬をベッドボックス３０に収容した状態で自動車により病院等に任意の場所に安全で且つ容易に移動できる。
【００４０】
本発明は、前記実施の形態に限定されるものではない。例えば、図９に示すように、日除けカバー６０を着脱自在に取り付けることもできる。かかるペット用カート１は、両側部１２を愛犬の大きさに応じて高く設けられている。
【００４１】
日除けカバー６０は、図９（ａ）に示すように、可撓性を有するシートから形成され、左右両縁部等の適宜位置には、面ファスナー６１が設けられている。そして、各面ファスナー６１を両側部１２に取り付けることにより、日除けカバー６０をカート本体１０に着脱自在に取り付けることができる。なお、両側部１２の垂直部は、内外２重筒にして、高さ調整できるようにしてもよい。
【００４２】
また、ベッドボックス３０およびカート本体１０の平面視形状は、矩形状に限定されるものではなく、円形等の任意の形状に設定することも可能である。例えば、ベッドボックス３０を円形にした場合、その周壁は、全周が展開できるようにすることもでき、また、周壁の一部を展開できるようにすることも可能である。
【図面の簡単な説明】
【００４３】
【図１】本発明の一実施形態を示すペット用カートの全体斜視図である。
【図２】同カート本体を示し、（ａ）は使用状態を示す斜視図、（ｂ）は収納状態を示す斜視図である。
【図３】同ベッドボックスを展開した斜視図である。
【図４】同ベッドボックスの取っ手を示し、（ａ）は使用状態を示す斜視図、（ｂ）は収納状態を示す斜視図である。
【図５】同カート本体およびスロープを示し、（ａ）はスロープの収納状態を示す斜視図、（ｂ）はスロープの乗降状態を示す斜視図である。
【図６】同スロープを示し、（ａ）はスロープの上面を示す平面斜視図、（ｂ）スロープの下面を示す平面斜視図、（ｃ）はスロープの断面図である。
【図７】（ａ）〜（ｃ）は、ベッドボックスで愛犬を移動させる斜視図である。
【図８】カート本体に愛犬が乗り込む状態の斜視図である。
【図９】本発明の他の実施形態を示し、（ａ）は日除けカバーの平面図、（ｂ）はペット用カートの全体斜視図である。
【符号の説明】
【００４４】
１      ペット用カート
１０    カート本体
１７    キャスター
３０    ベッドボックス
３１    床部
３２    前壁部（周壁）
３４    後壁部（周壁）
３３    左右壁部（周壁）
３６    取っ手
４０    スロープ
【図１】
0004590347.tif 000002
【図２】
0004590347.tif 000003
【図３】
0004590347.tif 000004
【図４】
0004590347.tif 000005
【図５】
0004590347.tif 000006
【図６】
0004590347.tif 000007
【図７】
0004590347.tif 000008
【図８】
0004590347.tif 000009
【図９】
0004590347.tif 000010